(57)【要約】【課題】  従来のスイッチ構造は、スイッチ用操作片にローラ付きの回動片を回転自在に取付けたものであるため、部品点数が多く、組み立て工数が多くなると共に部品点数が多いことから微妙な調整が必要となりコストが高くなり、かつ、回動片の突出分だけスペースが必要になるといった問題があった。【解決手段】  スイッチ１０をオン・オフするためのプランジャー１０ａと対向する位置にバネ板７を配置し、ペダルを初期位置から踏み込んで前記操作部材８が下方から移動する場合には、前記バネ板を前記スイッチ側に変形させて前記プランジャーによって前記スイッチをオン状態となし、また、前記ペダルを初期位置から最下部位置まで踏み込んだ後に初期位置に戻る操作部材が上方から移動する場合には、前記バネ板を前記プランジャーから離開する方向に変形させて前記スイッチがオフ状態を維持するようにしたことを特徴とする椅子昇降装置におけるスイッチ構造である。【選択図】        図１
2010172524.tif 000002
【特許請求の範囲】
【請求項１】
スプリングのバネ力に抗してペダルを踏み込むことで該ペダルと連動して変移する操作部材によってスイッチをオン状態となし油圧シリンダによって座部を上昇させる椅子昇降装置であって、
前記スイッチをオン・オフするためのプランジャーと対向する位置にバネ板を配置し、前記ペダルを初期位置から踏み込んで前記操作部材が下方から移動する場合には、前記バネ板を前記スイッチ側に変形させて前記プランジャーによって前記スイッチをオン状態となし、また、前記ペダルを初期位置から最下部位置まで踏み込んだ後に初期位置に戻る操作部材が上方から移動する場合には、前記バネ板を前記プランジャーから離開する方向に変形させて前記スイッチがオフ状態を維持するようにしたことを特徴とする椅子昇降装置におけるスイッチ構造。
【請求項２】
前記バネ板は、前記スイッチが取付けられる固定板に対して前記操作部材の動作方向に対して斜め状態に取付けられる共に前記操作部材が下方からの円弧移動に対してはスイッチ側に変形させ、上方方向からの円弧移動に対してスイッチから離れる方向に変形させるように取付けられていることを特徴とする請求項１記載の椅子昇降装置におけるスイッチ構造。
【請求項３】
前記操作部材は、前記ペダルの踏み込みおよび踏み込みの開放によって回転する回転軸に取付けられた押下リンクの先端に取付けられた棒状に形成されていることを特徴とする請求項１または２記載の椅子昇降装置におけるスイッチ構造。
【請求項４】
前記ペダルを初期位置から上方に押し上げると、前記押下リンクによって油圧シリンダのラムの回転をロックして椅子が回転しないようにしたことを特徴とする請求項１乃至３の何れかに記載の椅子昇降装置におけるスイッチ構造。
【発明の詳細な説明】
【技術分野】
【０００１】
本発明は、理美容用椅子、歯科用椅子等の昇降装置であって、１つのペダルによって昇降部材である椅子の昇降を行うためのスイッチ構造にして、ペダルの踏み込み時にはスイッチが操作され、ペダルの復帰時にはスイッチが操作されないようにした椅子昇降装置におけるスイッチ構造に関する。
【背景技術】
【０００２】
従来におけるペダルを踏み込んでマイクロスイッチ（以下、単にスイッチという）をオン状態として昇降用の油圧シリンダに油を供給し、施術者が作業し易い高さに座部が上昇した時点でペダルから足を離すことで油の注入が停止すると共にペダルが初期位置に戻り、上昇位置にある座部を下降させるには前記スイッチをオンする位置よりペダルを踏み込んで前記油圧シリンダ内の油を油タンク内に戻す操作杆を操作することで座部を下降させる構造のものが、例えば、本出願人会社が出願した特開２００７−１５１７８７号公報に開示されている。
【０００３】
この発明の具体的な構造は、座部を上昇させるためにペダルを踏み込むと操作板がスイッチをオン状態となし、このオン状態を維持して座部を上昇させる。そして、所望の高さ位置においてペダルから足を離すと、ペダルはスプリングのバネ力によって初期位置に戻り停止する。
【０００４】
また、上昇した座部を下降させるためには、ペダルを前記スイッチを通過した最下降位置まで踏み込むと操作杆が油圧シリンダの上面から突出している操作杆が押下リンクを押し下げて油圧シリンダ内の油が油タンク内に戻すことで座部を下降させている。
【０００５】
そして、座部が最下降位置に達した時点でペダルから足を離すと、ペダルは初期位置に戻るが、この初期位置に戻る途中で操作板がスイッチをオン状態とすることで、油圧シリンダ内に油が戻り僅かではあるが座部を上昇させるという問題があった。
【０００６】
そこで、この発明にあっては、ペダルを最下降位置まで踏み込み座部を下降させた後に、ペダルから足を離した状態において発生する操作板によるスイッチのオン状態を無くすために、前記操作板によってスイッチをオンさせるためのスイッチ用操作片に、上方から移動する操作板に対しては操作片を押してスイッチをオン状態となし、下方から移動する操作板に対しては操作片を押さないように、該操作片の先端にローラ付きの回動片を取付けたものが開示されている。
【先行技術文献】
【特許文献】
【０００７】
【特許文献１】特開２００７−１５１７８７号公報
【発明の概要】
【発明が解決しようとする課題】
【０００８】
ところで、前記した発明にあっては、スイッチ用操作片にローラ付きの回動片を回転自在に取付けたものであるため、部品点数が多くなり、組み立て工数が多くなることから微妙な調整が必要となりコストが高くなり、かつ、回動片の突出分だけスペースが必要になるといった問題があった。
【０００９】
本発明は前記した問題点を解決せんとするもので、その目的とするところは、ペダルの回動に伴って上下動する操作部材が上方から移動した場合には、該操作部材がバネ板をスイッチ側に変形させてスイッチをオン状態として座部を上昇させ、操作部材が下方から移動した場合には、該操作部材がバネ板をスイッチから離れる方向に変形させてスイッチをオンさせることなく通過してオフ状態を維持することで、座部の下降が終了してからペダルが初期位置に戻る時にスイッチが操作されないので、座部の下降後に座部が僅かでも上昇させることがない椅子昇降装置におけるスイッチ構造を提供せんとするにある。
【課題を解決するための手段】
【００１０】
本発明の椅子昇降装置におけるスイッチ構造は、前記した目的を達成せんとするもので、請求項１の手段は、スプリングのバネ力に抗してペダルを踏み込むことで該ペダルと連動して変移する操作部材によってスイッチをオン状態となし油圧シリンダによって座部を上昇させる椅子昇降装置であって、前記座部の上昇動作をオン・オフするためのスイッチと対向する位置にバネ板を配置し、前記ペダルを初期位置から踏み込んで前記操作部材が下方から移動する場合には、前記バネ板を前記スイッチ側に変形させて前記スイッチにをオン状態となし、また、前記ペダルを初期位置から最下部位置まで踏み込んだ後に初期位置に戻る操作部材が上方から移動する場合には、前記バネ板を前記スイッチから離開する方向に変形させて前記スイッチがオフ状態を維持するようにしたことを特徴とする。
【００１１】
請求項２の手段は、前記した請求項１において、前記バネ板は、前記スイッチが取付けられる固定板に対して前記操作部材の動作方向に対して斜め状態に取付けられる共に前記操作部材が下方からの円弧移動に対してはスイッチ側に変形させ、上方方向からの円弧移動に対してスイッチから離れる方向に変形させるように取付けられていることを特徴とする。
【００１２】
請求項３の手段は、前記した請求項１または２において、前記操作部材は、前記ペダルの踏み込みおよび踏み込みの開放によって回転する回転軸に取付けられた押下リンクの先端に取付けられた棒状に形成されていることを特徴とする。
【００１３】
請求項４の手段は、前記した請求項１乃至３の何れかにおいて、前記ペダルを初期位置から上方に押し上げると、前記押下リンクによって油圧シリンダのラムの回転をロックして椅子が回転しないようにしたことを特徴とする。
【発明の効果】
【００１４】
本発明は前記したように、スイッチをオン・オフするための押し釦と対向する位置にバネ板を配置し、ペダルを初期位置から踏み込んで操作部材が下方から移動する場合には、バネ板をスイッチ側に変形させて押し釦によって前記スイッチをオン状態となし、また、ペダルを初期位置から最下部位置まで踏み込んだ後に初期位置に戻る操作部材が上方から移動する場合には、バネ板を前記押し釦から離開する方向に変形させてスイッチがオフ状態を維持するようにしたので、座部の下降が終了してからペダルが初期位置に戻る時にスイッチが操作されず、従って、座部の下降後に座部が僅かでも上昇することがなく、着座状態の被施術者を驚かしたりすることがなく、また、部品点数が少ないので微妙な調整が必要なく、また、省スペース化を図ることができる。
【００１５】
また、ペダルを初期位置より蹴り挙げて上方に回動することで、押下リンクによって油圧シリンダのラムの回転をロックして椅子が回転しないようになるので、座部を上昇した施術位置でロックすることで施術が行い易くなり、また、座部が下降位置でロックすることで、被施術者を着座状態に迎える方向、あるいは施術終了後の座部より降りる位置に離れる方向にロックしておくことで、着座や離脱が安全、かつ、容易に行える等の効果を有するものである。
【図面の簡単な説明】
【００１６】
【図１】本発明に係るスイッチ構造を備えた椅子昇降装置の実施例を示す座部のロック状態の斜視図である。
【図２】図１の側面図である。
【図３】初期位置の側面図である。
【図４】操作部材がスイッチをオンした状態を示す斜視図である。
【図５】操作部材がスイッチをオンせずに通過した状態を示す斜視図である。
【図６】ロック状態からスイッチをオンする状態を示す説明図である。
【図７】座部が下降した状態から初期位置に戻る状態を示す説明図である。
【発明を実施するための形態】
【００１７】
以下、本発明に係る椅子昇降装置におけるスイッチ機構の一実施例を図面と共に説明する。
図１〜図５において、１は台盤、２は該台盤１の上に取付けられたモータポンプ、３は同じく台盤１の上に取付けられた前記モータポンプ２と接続された油圧シリンダおよび油タンク（図示せず）が内蔵されたハウジングにして、該ハウジング３の上面からは油圧シリンダのラム３ａが突出され、このラム３ａの上部には図示しない椅子の座部が固定されている。
【００１８】
また、前記ハウジング３内には押下することで油圧シリンダ内に滞留している油をハウジング３内の油タンクに戻すための操作杆３ｂが内蔵され、この操作杆３ｂの上端がハウジング３の上面より突出している。なお、３ｃは前記操作杆３ｂの外周に配置された巻きスプリングである。
【００１９】
４は前記ハウジング３の上面に固定された支持ブロックにして、前記ラム３ａ側の外側には回転軸４ａが軸支されている。そして、この回転軸４ａにはコの字状の押下リンク５とコの字状のペダル６とが取付けられている。従って、ペダル６を踏み込むと、回転軸４ａが回転して押下リンク５が回動することになる。
【００２０】
前記押下リンク５の延長部５ａ先端には、後に詳述する板バネ７を変形させるための操作部材８が直角方向に取付けられている。なお、押下リンク５のコ字状部５ｂは前記ラム３ａの先端と対向した位置にある。
【００２１】
９は前記台盤１から起立状態で取付けられた支柱にして、該支柱６には前記板バネ７とスイッチ（マイクロスイッチ）１０を取付けるための固定板１１が取付けられている。また、固定板１１には前記スイッチ１０と、板バネ７を取付けるための取付板７ａが傾いた状態で取付けられている。なお、板バネ７はスイッチ１０の押し釦１０ａと対向した状態で取付けられている。
【００２２】
そして、板バネ７と押し釦１０ａとの関係は、ペダル６が踏み込まれて回転軸４ａが図１において時計方向に回転すると、押下リンク５も時計方向に回転するので、該押下リンク５に取付けられている操作部材８は円弧を描きながら上方に移動して板バネ７をスイッチ１０側に変形させる。この変形によって板バネ７が押し釦１０ａを押してスイッチとオン状態となる。
【００２３】
また、スイッチ１０をオンさせた後も、さらにペダル６を踏み込んで操作部材８が前記スイッチ１０をオンさせた位置よりも上方に達した位置において、ペダル６から足を離して巻きバネ３ｃにより押下リンク５が逆方向に回動されると操作部材８は板バネ７に対して上方から下方に向かって移動することになる。この移動によって操作部材８は板バネ７のスイッチ１０側の面と当接して板バネ７は外側に向かって変形させる。これによって、操作部材８は板バネ７を変形させながら押し釦１９ａと接することなく通過してスイッチ１０をオフ状態に維持するような構造となっている。
【００２４】
１２は前記固定板１１の上方に取付けられたロック手段（図２、図３参照）にして、前記油圧シリンダのラム３ａの外側に位置して取付けられ、ネジを締め付けることでラム３ａの回転を阻止する構造となっている。すなわち、回動することでネジを締め付けあるいは緩める動作をする第１リンク１２ａと該第１リンク１２ａと一端が軸支され他端が前記押下リンク５に取付けられた第２リンク１２ｂとより構成されている。
【００２５】
そして、ペダル６を初期位置より上方に回動する方向に施術者が蹴り上げると回転軸４ａが図２において時計方向に回転して押下リンク５を時計方向に回動させるので、第２リンク１２ｂを介して第１リンク１２ａが反時計方向に回動され、ネジが締め付けラム３ａを締め付けてロック状態とする。また、ロック状態においてペダル６を踏み込むと前記したとは逆の動作によって第１リンク１２ａが時計方向に回動されてラム３ａの締め付け緩めるのでアンロック状態となる。
【００２６】
次に、図１、図２に示すペダル６を蹴り上げてラム３ａをロックした状態においては、図６（ａ）に示すよう操作部材８はスイッチ１０より下方に位置している。この状態において、座部を上昇させるためにペダル６を踏み込むと、回転軸４ａが回転して図３、図６（ｂ）の初期位置に戻る。この状態において、押下リンク５のコ字状部５ｂは巻きバネ３ｃの上端位置に達している。
【００２７】
この初期位置からさらに巻きバネ３ｃのバネ力に抗してペダル６を踏み込むと、操作部材８が板バネ７に図６（ｃ）に示すように近接する。この状態からさらにペダル６が踏み込まれることで、操作部材８は板バネ７のスイッチ１０との対向面とは反対面に当接して、該板バネ８をスイッチ１０側に変形させる。この変形によって板バネ８はスイッチ１０の押し釦１０ａを押すので、スイッチ１０はオン状態となってモータポンプ２を駆動させて、油圧シリンダに油を供給してラム３ａを上昇させ座部を上昇させる（図４、図６（ｄ）参照）。なお、スイッチ１０を操作部材８がオン状態とした時にクリック感を与えるような構造とすることが望ましい。
【００２８】
そして、ペダル６をスイッチ１０のオン状態を維持して踏み続け、座部が所望の高さ位置に達したならペダル６から足を離すと押下アーム５のコ字状部５ａが巻きバネ３ｃによって初期位置に戻される（図６（ｅ）参照）。この位置において座部が回転しないようにするためには、ペダル６を蹴上げることでロック手段１２が前記した説明のように動作してラム３ａをロック状態とする。
【００２９】
前記した座部の上昇位置において施術が終了する等によって被施術者が椅子から離れる場合には、ペダル６を前記スイッチ１０をオンした位置よりさらに踏み込む。この踏み込み途中で前記した説明のように操作部材８がバネ板７と当接してスイッチ１０をオン状態とするが、このオン時間は瞬間的であるので油圧シリンダに供給される油量は非常に少ないため着座している被施術者が殆ど感じることはない。
【００３０】
ここで、瞬間的にスイッチ１０を操作しても油圧シリンダへの油の供給を阻止したい場合には、先行例に開示されているような遅延回路を設けて瞬間的なオンではモータポンプへの信号が行かないようにする。あるいは、モータポンプと油圧シリンダとの間にアキュムレータとオリフィスとを直列接続し、スイッチ１０がオン状態となってモータポンプが動作して、該モータポンプから油が供給されてもオリフィスを介してアキュムレータに貯留されるような構成とすることで可能となる。
【００３１】
前記したように、操作部材８が瞬間的にスイッチ１０をオンした後もペダル６が踏み込まれていることで、図７（ａ）に示す操作部材８はバネ板７を通過した位置（ペダル６の最下降位置）に達する。この位置において、押下アーム５のコ字状部５ａが操作杆３ｂを押し下げるので、油圧シリンダ内に滞留している油はモータポンプ２の油タンク内に戻される。
【００３２】
このような動作によってラム３ａが下降して座部が最下降位置まで下がる。そして、最下降位置に達したことを施術者が確認してペダル６から足を離すと、巻きバネ３ｃのバネ力によって押下アーム５が初期位置まで戻されるが、この戻り途中において図７（ｂ）に示すように操作部材８は板バネ７に近接した後、操作部材８は板バネ７の押し釦１０ａと対向する面に達して、板バネ７を押し釦１０ａから離れる方向に変形させる。操作部材８はバネ板７を変形させながら押し釦１０ａに当接すことなく通過する（図７（ｃ）参照）。
【００３３】
そして、スイッチ１０を通過した後は、前記巻きバネ３ｃのバネ力によって図７（ｄ）に示すように初期位置まで戻って終了するが、この位置において座部の回転を防止した場合には、ペダル６を蹴り上げることで、前記した動作によってラム３ａがロック状態となって座部の回転を阻止することができる。
【符号の説明】
【００３４】
６          ペダル
７          板バネ
８          操作部材
１０        スイッチ
１０ａ      押し釦
【図１】
2010172524.tif 000003
【図２】
2010172524.tif 000004
【図３】
2010172524.tif 000005
【図４】
2010172524.tif 000006
【図５】
2010172524.tif 000007
【図６】
2010172524.tif 000008
【図７】
2010172524.tif 000009